(57)【要約】  本発明は固体粒子状布地処理組成物に関し、この組成物は、  （ａ）少なくとも１つの一級及び／又は二級アミン基を有するアミノ官能化合物とケトン及び／又はアルデヒド官能基を有するアミン反応性香料分子との反応生成物である香料前駆化合物を含む第一の香料成分  （ｂ）    （ｉ）      （ｉ）２５０°Ｃ未満の沸点、      （ｉｉ）２を超えるｃｌｏｇＰ値、及び      （ｉｉｉ）５０ｐｐｂ未満の臭気検知閾値      を有する、第二の香料成分の２０重量％以上の揮発性香料分子、及び    （ｉｉ）      （ｉ）２５０°Ｃを超える沸点、      （ｉｉ）３を超えるｃｌｏｇＰ値、及び      （ｉｉｉ）５０ｐｐｂ未満の臭気検知閾値      を有する、第二の香料成分の３５重量％未満の不揮発性香料分子  を含む第二の香料成分、並びに、  （ｃ）任意選択的に補助洗剤成分を含み、前記組成物が、第一の香料成分を粒子の１重量％以上、及び第二の香料成分を粒子の１重量％未満含む粒子を有する。【特許請求の範囲】
【請求項１】
固体粒子状布地処理組成物であって、前記組成物が、
（ａ）少なくとも１つの一級及び／又は二級アミン基を有するアミノ官能化合物とケトン及び／又はアルデヒド官能基を有するアミン反応性香料分子との反応生成物である香料前駆化合物を含む第一の香料成分
（ｂ）
（ｉ）
（ｉ）２５０℃未満の沸点、
（ｉｉ）２を超えるｃｌｏｇＰ値、及び
（ｉｉｉ）５０ｐｐｂ未満の臭気検知閾値
を有する第二の香料成分の２０重量％以上の揮発性香料分子、及び
（ｉｉ）
（ｉ）２５０°Ｃを超える沸点、
（ｉｉ）３を超えるｃｌｏｇＰ値、及び
（ｉｉｉ）５０ｐｐｂ未満の臭気検知閾値
を有する、第二の香料成分の３５重量％未満の不揮発性香料分子
を含む第二の香料成分、並びに、
（ｃ）任意選択的に補助洗剤成分
を含み、
前記組成物が、第一の香料成分を粒子の１重量％以上、及び第二の香料成分を粒子の１重量％未満含む粒子を有する、組成物。
【請求項２】
アミノ官能化合物が、アントラニル酸メチルの１％ジプロピレングリコール溶液の臭気強度指数よりも低い臭気強度指数を有する、請求項１に記載の組成物。
【請求項３】
前記香料前駆化合物が、５を超える乾燥表面臭気指数を有する、請求項１又は２に記載の組成物。
【請求項４】
前記アミノ官能化合物が、ポリビニルアミン；アルキレンポリアミン；ポリアミノ酸；アミノ置換ポリビニルアルコール；ポリオキシエチレン；これらの誘導体；及びこれらの組み合わせからなる群から選択されるポリマーである、請求項１〜３のいずれか一項に記載の組成物。
【請求項５】
前記第二の香料成分が、第二の香料成分の３０重量％以上の揮発性香料分子を含む、請求項１〜４のいずれか一項に記載の組成物。
【請求項６】
前記不揮発性香料分子に対する揮発性香料分子の重量比が、０．７より大きく、好ましくは１より大きい、請求項１〜５のいずれか一項に記載の組成物。
【請求項７】
前記組成物が、粘土、好ましくはスメクタイト粘土を含む、請求項１〜６のいずれか一項に記載の組成物。
【請求項８】
前記組成物が、
（ａ）第一の香料成分を含む複数の粒子を得る工程、
（ｂ）工程（ａ）で得られた粒子に補助成分を含む複数の粒子を混合して、粒子混合物を得る工程、及び
（ｃ）第二の香料成分を工程（ｂ）で得られた粒子混合物に接触させて、固体粒子状組成物を得る工程を含むプロセスにより得られるものである、請求項１に記載の組成物。
【請求項９】
前記工程（ｃ）における第二の香料成分が、液体の形態であり、好ましくは工程（ｃ）において第二の香料成分が工程（ｂ）で得られた粒子混合物にスプレーで吹きかけられるものである、請求項８に記載の組成物。
【請求項１０】
前記補助成分が、洗剤補助成分、好ましくは洗濯洗剤補助成分であり、更に前記組成物が洗濯洗剤組成物である、請求項１〜９のいずれか一項に記載の組成物。
【請求項１１】
前記組成物が、錠剤の形態であって、前記組成物が、
（ａ）第一の香料成分を含む錠剤の形態の組成物を製造する工程、及び
（ｂ）工程（ａ）に続いて、第二の香料成分を工程（ａ）で得られた組成物に接触させる工程を含む方法によって得られるものである、請求項１〜１０のいずれか一項に記載の組成物。
【請求項１２】
固体粒子状洗剤組成物を製造するプロセスであって、前記プロセスが、
（ａ）第一の香料成分を含む複数の粒子を得る工程、
（ｂ）工程（ａ）で得られた粒子に補助成分を含む複数の粒子を混合する工程、及び
（ｃ）第二の香料成分を工程（ｂ）で得られた粒子混合物に接触させて、固体粒子状組成物を得る工程を含む、請求項１〜１１のいずれか一項に記載の固体粒子状洗剤組成物を製造するプロセス。
【請求項１３】
工程（ｃ）における第二の香料成分が、液体の形態であり、好ましくは工程（ｃ）において第二の香料成分を工程（ｂ）で得られた粒子混合物にスプレーで吹きかける、請求項１２に記載のプロセス。
【請求項１４】
布地を水性環境で請求項１〜１１のいずれか一項に記載の組成物に接触させる工程を含む、布地を処理する方法。
【請求項１５】
水性環境で布地を処理するための、請求項１〜１１のいずれか一項に記載の組成物の使用。
【発明の詳細な説明】
【技術分野】
【０００１】
本発明は、香料システムを含む固体粒子状布地処理組成物に関する。
【背景技術】
【０００２】
消費者の多くは、洗濯洗剤組成物の性能を評価する際に、洗濯した布地の外観だけでなく、その臭いも考慮する。従って、洗濯洗剤組成物は、布地を洗浄することに加えて、洗濯プロセス中に洗濯布地に快い芳香も提供する必要がある。今日まで、洗濯洗剤の製造業者は、洗剤組成物に香料を添加して、処理布地に快い芳香を与えてきた。
【発明の開示】
【発明が解決しようとする課題】
【０００３】
しかし、消費者は、洗濯布地が清潔かつ清涼な状態になったことを知覚できるように、洗濯プロセスの洗浄段階直後に処理布地が快い芳香を放つことを望んでいる。更に、布地の快い芳香が長期間に渡って保たれることを消費者は望んでいる。
【０００４】
洗剤製造業者は、洗濯布地の快い芳香を持続させる香料システムを開発してきた。例えば、そのような香料システムは、米国特許第５，１８８，７５３号、国際公開第９５／０４８０９号、国際公開第９５／０８９７６号、国際公開第００／０２９８２号、国際公開第００／０２９８６号、国際公開第００／０２９８７号、国際公開第００／０２９９１号、国際公開第０１／０４０８４号、国際公開第０１／０４２４７号、国際公開第０１／０４２４８号、国際公開第０１／４６３７４号、及び国際公開第０１／５１５９９号に記載されている。これらの香料システムによって、洗濯布地から放出される芳香は保持されるが、必ずしも洗濯プロセスの洗浄段階直後に芳香を十分に知覚することはできない。つまり、これらの香料システムでは、洗濯布地が清潔かつ清涼な状態になったことを消費者が明確に知覚することができない。従って、洗濯プロセスの洗浄段階直後に良好な香りを発するトップノートを備え、乾いた布地から長期間に渡って良好な香りが放出される香料システムを実現させる必要性が依然として存在している。
【課題を解決するための手段】
【０００５】
本発明では、第一の香料成分、第二の香料成分、及び任意選択的に１つ以上の補助成分を含む固体粒子状布地処理組成物を提供することにより、上記の問題を解決する。第一の香料成分は、少なくとも１つの一級及び／又は二級アミン基を有するアミノ官能化合物と、ケトン及び／又はアルデヒド官能基を有するアミン反応性香料分子との反応生成物である香料前駆化合物を含む。第二の香料成分は、（ｉ）第二の香料成分の３０重量％以上の揮発性香料分子と、（ｉｉ）第二の香料成分の３５重量％未満の不揮発性香料分子とから構成されており、前記揮発性香料分子は、（ｉ）２５０°Ｃ未満の沸点、（ｉｉ）２を超えるｃｌｏｇＰ値、及び（ｉｉｉ）５０ｐｐｂ未満の臭気検知閾値を有し、前記不揮発性香料分子は、（ｉ）２５０°Ｃを超える沸点、（ｉｉ）３を超えるｃｌｏｇＰ値、及び（ｉｉｉ）５０ｐｐｂ未満の臭気検知閾値を有する。組成物は任意選択的に種々の補助成分、好ましくは洗剤補助成分を含むことができる。組成物は、第一の香料成分を粒子の１重量％以上、第二の香料成分を粒子の１重量％未満含む粒子を有さなければならない。
【０００６】
本発明の別の観点では、上記組成物の製造プロセスを提供する。本発明の更に別の観点では、水性環境で布地を上記組成物に接触させることにより、布地を処理する方法を提供する。本発明のまた別の観点では、水性環境で布地を処理するために上記組成物を使用する方法を提供する。
【発明を実施するための最良の形態】
【０００７】
（第一の香料成分）
第一の香料成分は、少なくとも１つの一級及び／又は二級アミン基を有するアミノ官能化合物（好ましくはポリマー）と、ケトン及び／又はアルデヒド官能基を有するアミン反応性香料分子との反応生成物である香料前駆化合物を含む。香料前駆体が分解すると、第一の香料成分によって、乾いた布地の改善された臭気効果が提供される。
【０００８】
典型的には、アミノ官能化合物は、アントラニル酸メチルの１％ジプロピレングリコール溶液の臭気強度指数（ＯＩＩ）よりも低い臭気強度指数を有する。臭気強度指数（ＯＩＩ）は、香料に使用される無臭性溶媒のジプロピレングリコールで純化学物質を１％濃度に希釈したときの指数を意味する。吸取紙としても知られる臭気ストリップをこの溶液に軽く浸した後、専門の回答者に渡して、ＯＩＩを算定する。各アミノ照合官能化合物について、照合用吸取紙（アントラニル酸メチル）と試験用吸取紙との２枚の吸取紙を専門回答者に渡す。回答者に依頼し、０〜５のＯＩＩ尺度を使用して、２枚の吸取紙のＯＩＩを決定してもらう。このＯＩＩ尺度において、０は臭気が全く検知されなかったことを示し、１は臭気が検知された可能性があることを示し、２は弱い臭気が検知されたことを示し、３は臭気が検知されたことを示し、４は強い臭気が検知されたことを示し、５は非常に強い臭気が検知されたことを示す。典型的には、本発明に使用するのに好適なアミノ官能化合物は、アントラニル酸メチルの１％ジプロピレングリコール溶液よりも低い臭気強度指数を有するものである。
【０００９】
アミノ官能化合物は、典型的には、ポリマー主鎖に結合された、又はポリマーの側鎖として存在する、遊離（つまり未修飾）の一級及び／もしくは二級アミノ基を少なくとも１つ有するポリマーである。好ましくはアミノ官能化合物は、複数のアミノ基、より好ましくは１０を超えるアミノ基を有する。アミノ官能化合物は、典型的にはポリマーであり、好ましくは１，５００〜２，１００，０００、更に好ましくは１，８００〜５０，０００、最も好ましくは２，０００〜４０，０００の重量平均分子量（ＭＷ）を有する。好ましいアミノ官能ポリマーは、直鎖、分枝鎖、グラフト、又は架橋であってもよく、ホモポリマー又はコポリマーであってもよい。
【００１０】
好ましいアミノ官能化合物は、ポリビニルアミン、アルキレンポリアミン、ポリアミノ酸、アミノ置換ポリビニルアルコール、ポリオキシエチレン、これらの誘導体、及びこれらの組み合わせからなる群から選択されるポリマーである。「これらの誘導体」という用語には、前記物質のコポリマー、分枝状変異型、及びアルコキシル化変異型が含まれる。
【００１１】
好ましいアミノ官能化合物は、ルパソル（Lupasol）の商品名で販売されているようなポリエチレンイミンであり、例えば、ルパソルＦＧ、Ｇ２０、ｗｆｖ、ＰＲ８５１５、ＷＦ、ＦＣ、Ｇ２０、Ｇ３５、Ｇ１００、ＨＦ、Ｐ、ＰＳ、ＳＫ、及びＳＮＡなどがある。
【００１２】
更に、好ましいアミノ官能化合物は、特にアミノ官能化合物がポリマーである場合、布地に優れた外観（特に色素保護力）、及び（特に複数の洗浄サイクルを経た後に）磨耗防止力を提供する。従って、本組成物によって、快い香りと布地保護力とを同時に提供することができる。
【００１３】
アミン反応性香料分子はケトン及び／又はアルデヒド官能基を有する。アミン反応性香料分子は、典型的には、炭素原子を１つ以上、好ましくは５つ以上含む。典型的に開示されている好適なケトン及び／又はアルデヒド分子のうち、従来から香料として使用されているものは、『Ｐｅｒｆｕｍｅ ａｎｄ Ｆｌａｖｏｒ Ｃｈｅｍｉｃａｌｓ』（Ｉ巻及びＩＩ巻、Ｓ・アークタンダー（S. Arctander）、アルレード出版（Allured Publishing）、１９９４年、ＩＳＢＮ ０−９３１７１０−３５−５）に記載されている。
【００１４】
ケトン官能基を有する好ましいアミン反応性香料分子は、α−ダマスコーン、δ−ダマスコーン、イソダマスコーン、カルボン、γ−メチル−イオノン、イソ−Ｅ−スーパー、２，４，４，７−テトラメチル−オクト−６−エン−３−オン、ベンジルアセトン、β−ダマスコーン、ダマセノン、メチルジヒドロジャスモネート、メチルセドリロン、及びこれらの混合物からなる群から選択される。
【００１５】
アルデヒド官能基を有する好ましいアミン反応性香料分子は、１−デカナール、ベンズアルデヒド、フロールヒドラール、２，４−ジメチル−３−シクロヘキセン−１−カルボキシアルデヒド、シス／トランス−３，７−ジメチル−２，６−オクタジエン−１−アール、ヘリオトロピン、２，４，６−トリメチル−３−シクロヘキセン−１−カルボキシアルデヒド、２，６−ノナジエナール、α−ｎ−アミルシンナミックアルデヒド、α−ｎ−ヘキシルシンナミックアルデヒド、Ｐ．Ｔ．ブシナール、リラール、サイマール、メチルノニルアセトアルデヒド、ヘキサナール、トランス−２−ヘキセナール、及びこれらの混合物からなる群から選択される。
【００１６】
典型的に、アミン反応性香料分子は、低い臭気検知閾値（ＯＤＴ）を有する。アミン反応性香料分子は１ｐｐｍ未満、好ましくは１０ｐｐｂ未満のＯＤＴを有することが好ましい。典型的に、ＯＤＴは、後述するようなガスクロマトグラフィー（ＧＣ）の制御条件下で測定される。このパラメータは、香料技術において一般的に使用される値であり、ある香料物質が存在することを有意に検知する最低濃度を意味する。参照文献としては、『Ｃｏｍｐｉｌａｔｉｏｎ ｏｆ Ｏｄｏｕｒ ａｎｄ Ｔａｓｔｅ Ｔｈｒｅｓｈｏｌｄ Ｖａｌｕｅ Ｄａｔａ（ＡＳＴＭ ＤＳ ４８ Ａ）』（Ｆ．Ａ．ファザラリ（F. A. Fazzalari）編、ＩＢＭ（International Business Machines）、ニューヨーク州ホープウェルジャンクション）などが挙げられる。
【００１７】
香料前駆化合物は、アミノ官能化合物とアミン反応性香料分子との反応生成物である。最も好ましい香料前駆化合物は、ポリエチレンイミンとα及び／又はδ−ダマスコーンとの反応生成物である。
【００１８】
典型的には、香料前駆化合物は、５を超え、好ましくは１０を超え、更に好ましくは２０を超える乾燥表面臭気指数（ＤＳＯＩ）を有する。ＤＳＯＩは、次の試験によって算出する。
【００１９】
香料前駆化合物０．０４ｇを粒状洗剤組成物１００ｇに添加する。この粒状洗剤組成物には、（組成物の重量比で）ドデシルベンゼンスルホン酸ナトリウム部が９、アルコール分子当たりエトキシレート基を平均７個有するＣ１４〜１５エトキシ化アルコール部が４、トリポリリン酸ナトリウム部が３３、アルカリ性ケイ酸ナトリウム部が６、カルボキシメチルセルロースナトリウム部が１、ケイ酸マグネシウム部が１、エチレンジアミン四酢酸部が０．２、硫酸ナトリウムが２５、及び水が１０．８の割合で含まれる。総乾燥重量が１７０ｇの乾いた布地４枚を自動洗濯機のドラムに入れる。洗剤組成物（添加された香料前駆化合物を含む）を自動洗濯機のドラムに加え、着色合成布地用の４０°Ｃの洗浄サイクルを使用して、１５°の硬度と１０〜１８°Ｃの注水温度を有する水で布地を洗浄する。
【００２０】
洗浄サイクル終了後直ちに、濡れた布地を回転式乾燥機に入れ、乾燥サイクルの全工程を実施する。翌日、回転式乾燥機で乾燥した布地の香りを以下に記載する尺度を使用して判定する。その後、ほぼ無臭の部屋で布地を開放アルミニウムバッグに入れて保存し、７日後に再度、香りを判定する。香料前駆化合物に対応するアミン反応性香料分子についても、香料化合物で使用した同じモル量を使用して上記の方法を繰り返す。
【００２１】
香料前駆化合物と対応するアミン反応性香料分子との双方から得られる香りは、専門の回答者が布地の臭いを嗅ぎ、次の０〜１００の等級尺度を使用して上記すべての布地の香りを等級付けすることによって判定される。等級尺度の内訳は、１００＝極度に強い芳香、７５＝非常に強い芳香、５０＝強い芳香、４０＝適度な芳香、３０＝わずかな芳香、２０＝弱い芳香、１０＝非常に弱い芳香、０＝芳香なし、である。
【００２２】
ＤＳＯＩは、翌日及び７日後に算出された香料前駆化合物の臭気測定値から、対応するアミン反応性香料分子の臭気測定値をそれぞれ引くことによって、計算することができる。翌日又は７日後の測定値を使用したＤＳＯＩがそれぞれ５を超える香料前駆化合物は、典型的には本発明に使用するのに好適である。
【００２３】
本明細書に用いるのに好適な典型的な香料前駆化合物、アミノ官能化合物、及びアミン反応性香料分子、並びに香料前駆化合物の好ましい合成方法は、欧州特許第１，１２３，３７６号に記載されている。
【００２４】
（第二の香料成分）
第二の香料成分は、（第二の香料成分の）揮発性香料分子を２０重量％以上、好ましくは３０重量％以上、更に好ましくは４０重量％以上、及び不揮発性香料分子を３５重量％未満、好ましくは３０重量％未満、更に好ましくは２０重量％未満、より好ましくは１０重量％未満含む。第二の香料成分によって、濡れた布地で良好な香料が放出されるなど、優れたトップノート性能が実現される。
【００２５】
揮発性香料分子の沸点は、２５０°Ｃ未満、好ましくは２２０°Ｃ未満、更に好ましくは２００°Ｃ未満である。多くの香料成分の沸点は、『Ｐｅｒｆｕｍｅ ａｎｄ Ｆｌａｖｏｒ Ｃｈｅｍｉｃａｌｓ（Ａｒｏｍａ Ｃｈｅｍｉｃａｌｓ）』（ステファン・アークタンダー（Steffen Arctander）、自主出版、１９６９年）に記載されている。
【００２６】
揮発性香料分子のｃｌｏｇＰ値は、２を超え、好ましくは３を超え、更に好ましくは４を超え、より好ましくは５を超える。ｃｌｏｇＰ値は、香料分子のオクタノール／水の分配係数の測定値であり、オクタノール中及び水中の平衡濃度の割合である。本発明の好ましい香料成分は、高い分配係数を有するので、その１０を底とする対数、つまりｌｏｇＰの形で示すとより便利であり、この値はｃｌｏｇＰ値として知られている。
【００２７】
多くの香料成分についてｃｌｏｇＰ値が報告されており、例えば、デイライト・ケミカル情報システム社（Daylight Chemical Information Systems, Inc.）（Ｄａｙｌｉｇｈｔ ＣＩＳ）（カリフォルニア州アービン）から提供されているデータベースＰｏｍｏｎａ９２に、オリジナル文献の引用に加えて多数の値が掲載されている。ただし、ｃｌｏｇＰ値は、Ｄａｙｌｉｇｈｔ ＣＩＳから提供されている「ＣＬＯＧＰ」プログラムを使用して計算することもできる。「ｃｌｏｇＰ値」は、典型的には、ハンシュ（Hansch）及びレオ（Leo）のフラグメント法により求められる（Ａ・レオ（A. Leo）著、『Ｃｏｍｐｒｅｈｅｎｓｉｖｅ Ｍａｄｉｃｉｎａｌ Ｃｈｅｍｉｓｔｒｙ』（第４巻、Ｃ・ハンシュ、Ｐ・Ｇ・サメンズ、Ｊ・Ｂ・テイラー、及び Ｃ・Ａ・ラムズデン（C. Hansch, P. G. Sammens, J. B. Taylor and C. A. Ramsden）編、２９５頁、ペルガモン出版（Pergamon Press）、１９９０年）を参照）。
【００２８】
揮発性香料分子の臭気検知閾値（ＯＤＴ）は、５０ｐｐｂ未満、好ましくは１０ｐｐｂ未満である。ＯＤＴに関しては、上記で詳細に説明されている。
【００２９】
好ましい揮発性香料分子は、エチル−２−メチルブチレート、４−アセテートフロールアセテート、リナロール、エチル−２−メチルペンタノエート、テトラヒドロリナロール、シス−３−ヘキセニルアセテート、シス−３−ヘキサノール、シクラルＣ（Cyclal C）、及びこれらの混合物からなる群から選択される。
【００３０】
不揮発性香料分子の沸点は、２５０°Ｃを超え、好ましくは２６０°Ｃを超え、更に好ましくは２７５°Ｃを超える。不揮発性香料分子のｃｌｏｇＰ値は、３を超え、好ましくは４を超え、更に好ましくは５を超え、臭気検知閾値（ＯＤＴ）は、５０ｐｐｂ未満、好ましくは１０ｐｐｂ未満である。ｃｌｏｇＰ値及びＯＤＴに関しては、上記で詳細に説明されている。
【００３１】
好ましい不揮発性香料分子は、アンブロキサン、イソ−Ｅ−スーパー、ヘキシルシンナミックアルデヒド、ＰＴブシナール、セタロックス（cetalox）、サリチル酸ヘキシル、アンバリン（amberlyn）、及びこれらの混合物からなる群から選択される。
【００３２】
典型的には不揮発性香料分子に対する揮発性香料分子の重量比は０．７を超え、好ましくは１を超える。
【００３３】
（補助成分）
組成物は任意選択的に１つ以上の補助成分を含む。典型的には、組成物は０．０１〜９９．９９％の補助成分を有する。好ましい補助成分は洗剤補助成分であり、好ましくは洗濯洗剤補助成分である。好ましい補助成分は、再付着防止剤、漂白剤、光沢剤、ビルダー、キレート剤、移染防止剤、酵素、布地一体化剤、布地柔軟剤、充填剤、凝集剤、香料、汚れ剥離剤、界面活性剤、懸濁剤、及びこれらの組み合わせからなる群から選択される。
【００３４】
１つの非常に好ましい補助成分は、界面活性剤である。組成物は、１つ以上の界面活性剤を含むことが好ましい。典型的には、組成物は、界面活性剤を１つ以上、（組成物の）０重量％〜５０重量％、好ましくは５重量％以上、好ましくは４０重量％以内、又は３０重量％以内、又は２０重量％以内の割合で含む。好ましい界面活性剤は、陰イオン性界面活性剤、非イオン性界面活性剤、陽イオン性界面活性剤、双極性界面活性剤、両性イオン性界面活性剤、カタニオニック界面活性剤、及びこれらの混合物である。
【００３５】
好ましい陰イオン性界面活性剤には、炭酸塩、リン酸塩、硫酸塩、スルホン酸塩、及びこれらの混合物からなる群から選択される１つ以上の部分が含まれる。好ましい陰イオン性界面活性剤は、Ｃ８〜１８アルキル硫酸及びＣ８〜１８アルキルスルホン酸である。Ｃ８〜１８アルキル硫酸及び／又はＣ８〜１８アルキルスルホン酸は、任意選択的にＣ８〜１８アルキル硫酸及び／又はＣ８〜１８アルキルスルホン酸の１モルにつき１〜９モルのＣ１〜４アルキレンオキシドと縮合されてもよい。Ｃ８〜１８アルキル硫酸及び／又はＣ８〜１８アルキルスルホン酸のアルキル鎖は、直鎖又は分枝鎖であってもよく、好ましい分枝状アルキル鎖には、Ｃ１〜６アルキル基の分枝状部分が１つ以上含まれる。別の好ましい陰イオン性界面活性剤は、Ｃ８〜１８アルキルベンゼン硫酸及び／又はＣ８〜１８アルキルベンゼンスルホン酸である。Ｃ８〜１８アルキルベンゼン硫酸及び／又はＣ８〜１８アルキルベンゼンスルホン酸のアルキル鎖は、直鎖又は分枝鎖であってもよく、好ましい分枝状アルキル鎖には、Ｃ１〜６アルキル基の分枝状部分が１つ以上含まれる。その他の好ましい陰イオン性界面活性剤は、Ｃ８〜１８アルケニル硫酸、Ｃ８〜１８アルケニルスルホン酸、Ｃ８〜１８アルケニルベンゼン硫酸、Ｃ８〜１８アルケニルベンゼンスルホン酸、Ｃ８〜１８アルキルジメチルベンゼン硫酸、Ｃ８〜１８アルキルジメチルベンゼンスルホン酸、脂肪酸エステルスルホン酸、ジアルキルスルホコハク酸、及びこれらの組み合わせからなる群から選択される。陰イオン性界面活性剤は塩の形態で存在してもよい。例えば、陰イオン性界面活性剤は、Ｃ８〜１８アルキル硫酸、Ｃ８〜１８アルキルスルホン酸、Ｃ８〜１８アルキルベンゼン硫酸、Ｃ８〜１８アルキルベンゼンスルホン酸、及びこれらの組み合わせからなる群から選択される１つ以上の化合物のアルカリ金属塩であってもよい。好ましいアルカリ金属は、ナトリウム、カリウム、及びこれらの混合物である。典型的には、組成物は陰イオン性界面活性剤を０％〜５０％含む。
【００３６】
好ましい非イオン性界面活性剤は、Ｃ８〜１８アルコール１モルにつき１〜９モルのＣ１〜４アルキレンオキシドで縮合されたＣ８〜１８アルコール、Ｃ８〜１８アルキルＮ−Ｃ１〜４アルキルグルカミド、Ｃ８〜１８アミド−Ｃ１〜４ジメチルアミン、Ｃ８〜１８アルキルポリグリコシド、グリセロールモノエーテル、ポリヒドロキシアミド、及びこれらの組み合わせからなる群から選択される。
【００３７】
好ましい陽イオン性界面活性剤は、第四級アンモニウム化合物である。好ましい第四級アンモニウム化合物には、典型的には、アルキル鎖、ヒドロキシアルキル鎖、及び／又はアルコキシル化アルキル鎖などの炭化水素の長鎖及び短鎖の混合物が含まれる。典型的には、炭化水素の長鎖は、Ｃ８〜１８アルキル鎖、Ｃ８〜１８ヒドロキシアルキル鎖、及び／又はＣ８〜１８アルコキシル化アルキル鎖である。典型的には、炭化水素の短鎖は、Ｃ１〜４アルキル鎖、Ｃ１〜４ヒドロキシアルキル鎖、及び／又はＣ１〜４アルコキシル化アルキル鎖である。典型的には、組成物は（組成物の）陽イオン性界面活性剤を０重量％〜２０重量％含む。
【００３８】
好ましい双極性界面活性剤は、１つ以上の四級化窒素原子に加えて、炭酸塩、リン酸塩、硫酸塩、スルホン酸塩、及びこれらの組み合わせからなる群から選択される部分を１つ以上含む。好ましい双極性界面活性剤は、アルキルベタインである。別の好ましい双極性界面活性剤は、アルキルアミンオキシドである。
【００３９】
典型的には、カタニオニック界面活性剤は、陽イオン性界面活性剤と陰イオン性界面活性剤とを含む錯体である。典型的には、錯体中の陽イオン性界面活性剤と陰イオン性界面活性剤のモル比は１：１より大きいため、錯体は本質的に正電荷を有する。
【００４０】
１つの好ましい補助成分は、ビルダーである。組成物は、（組成物の無水換算で）ビルダーを５重量％〜５０重量％含むことが好ましい。好ましいビルダーは、無機リン酸塩及びその塩（好ましくはオルソリン酸塩、ピロリン酸塩、トリポリリン酸塩、これらのアルカリ金属塩、及びこれらの組み合わせ）；ポリカルボン酸及びその塩（好ましくはクエン酸、そのアルカリ金属塩、及びこれらの組み合わせ）；アルミノケイ酸塩、その塩、及びこれらの組み合わせ（好ましくは非晶性アルミノケイ酸塩、結晶性アルミノケイ酸塩、非晶性／結晶性アルミノケイ酸塩混合物、これらのアルカリ金属塩、及びこれらの組み合わせ、最も好ましくはゼオライトＡ、ゼオライトＰ、ゼオライトＭＡＰ、これらの塩、及びこれらの組み合わせ）；層状ケイ酸塩、その塩、及びこれらの組み合わせ（好ましくは層状ケイ酸ナトリウム）；並びにこれらの組み合わせからなる群から選択される。
【００４１】
１つの好ましい補助成分は、漂白剤である。組成物は、１つ以上の漂白剤を含むことが好ましい。典型的には、組成物は、（組成物の）１つ以上の漂白剤を１重量％〜５０重量％含む。好ましい漂白剤は、過酸化物源、過酸源、漂白剤促進剤、漂白剤触媒、光漂白剤、及びこれらの組み合わせからなる群から選択される。好ましい過酸化物源は、過ホウ酸塩一水和物、過ホウ酸塩四水和物、過炭酸塩、これらの塩、及びこれらの組み合わせからなる群から選択される。好ましい過酸源は、漂白剤活性化剤、予備形成過酸、及びこれらの組み合わせからなる群から選択される。好ましい漂白剤活性化剤は、オキシベンゼンスルホン酸塩漂白剤活性化剤、ラクタム漂白剤活性化剤、イミド漂白剤活性化剤、及びこれらの組み合わせからなる群から選択される。好ましい過酸源は、テトラアセチルエチレンジアミン（ＴＡＥＤ）である。好ましいオキシベンゼンスルホン酸塩漂白剤活性化剤は、ノナノイルオキシベンゼンスルホン酸塩、６−ノナミドカプロイルオキシベンゼンスルホン酸塩、これらの塩、及びこれらの組み合わせからなる群から選択される。好ましいラクタム漂白剤活性化剤は、アシルカプロラクタム及び／又はアシルバレロラクタムである。好ましいイミド漂白剤活性化剤は、Ｎ−ノナノイル−Ｎ−メチルアセトアミドである。好ましい予備形成過酸は、Ｎ，Ｎ−フタロイル（pthaloyl）アミノペルオキシカプロン酸、ノニルアミドペルオキシアジピン酸、これらの塩、及びこれらの組み合わせからなる群から選択される。組成物は、１つ以上の過酸化物源と１つ以上の過酸源とを含むことが好ましい。好ましい漂白剤触媒は、１つ以上の遷移金属イオンを含む。別の好ましい漂白剤は、ジアシル過酸化物である。好ましい漂白剤促進剤は、双性イオン性イミン、陰イオン性イミンポリイオン、四級オキサジリジニウム（oxaziridinium）塩、及びこれらの組み合わせからなる群から選択される。非常に好ましい漂白剤促進剤は、アリールイミニウム（aryliminium）両性イオン、アリールイミニウムポリイオン、及びこれらの組み合わせからなる群から選択される。好適な漂白剤促進剤は、米国特許第３６０，５６８号、米国特許第５，３６０，５６９号、及び米国特許第５，３７０，８２６号に記載されている。
【００４２】
１つの好ましい補助成分は、再付着防止剤である。組成物は、１つ以上の再付着防止剤を含むことが好ましい。好ましい再付着防止剤は、セルロース性ポリマー成分であり、最も好ましくはカルボキシメチルセルロースである。
【００４３】
１つの好ましい補助成分は、キレート剤である。組成物は、１つ以上のキレート剤を含むことが好ましい。組成物は、（組成物の）キレート剤を０．０１重量％〜１０重量％含むことが好ましい。好ましいキレート剤は、ヒドロキシエタンジメチレンホスホン酸、エチレンジアミンテトラ（メチレンホスホン）酸、ジエチレントリアミン五酢酸塩、エチレンジアミン四酢酸塩、ジエチレントリアミンペンタ（メチルホスホン）酸、エチレンジアミン二コハク酸、及びこれらの組み合わせからなる群から選択される。
【００４４】
１つの好ましい補助成分は、移染防止剤である。組成物は、１つ以上の移染防止剤を含むことが好ましい。典型的には、移染防止剤は、染料分子を捕らえて、洗浄溶液中に懸濁させて保持するポリマー成分である。好ましい移染防止剤は、ポリビニルピロリドン、ポリビニルピリジンＮ−酸化物、ポリビニルピロリドン−ポリビニルイミダゾールコポリマー、及びこれらの組み合わせからなる群から選択される。
【００４５】
１つの好ましい補助成分は、酵素である。組成物は、１つ以上の酵素を含むことが好ましい。好ましい酵素は、アミラーゼ、アラビノシダーゼ、カルボヒドラーゼ、セルラーゼ、コンドロイチナーゼ、クチナーゼ、デキストラナーゼ、エステラーゼ、β−グルカナーゼ、グルコ−アミラーゼ、ヒアルロニダーゼ、ケラタナーゼ、ラッカーゼ、リグニナーゼ、リパーゼ、リポキシゲナーゼ、マラナーゼ、マンナナーゼ、オキシダーゼ、ペクチナーゼ、ペントサナーゼ、ペルオキシダーゼ、フェノールオキシダーゼ、ホスホリパーゼ、プロテアーゼ、プルラナーゼ、レダクターゼ、タンナーゼ、トランスフェラーゼ、キシラナーゼ、キシログルカナーゼ、及びこれらの組み合わせからなる群から選択される。好ましい酵素は、アミラーゼ、カルボヒドラーゼ、セルラーゼ、リパーゼ、プロテアーゼ、及びこれらの組み合わせからなる群から選択される。
【００４６】
１つの好ましい補助成分は、布地一体化剤である。組成物は、１つ以上の布地一体化剤を含むことが好ましい。典型的には、布地一体化剤は、洗濯プロセス中に布地表面に付着して布地を損傷から守るポリマー成分である。好ましい布地一体化剤は、疎水変性セルロースである。この疎水変性セルロースは、布地の磨耗を減少させ、繊維間の相互作用を高めて、布地の色落ちを減少させる。好ましい疎水変性セルロースは、国際公開第９９／１４２４５号に記載されている。別の好ましい布地一体化剤は、イミダゾールとエピクロロヒドリンを縮合させる工程を含むプロセスによって得られるものであり、好ましくはこの方法で得られるポリマー成分及び／又はオリゴマー成分である。
【００４７】
１つの好ましい補助成分は、布地柔軟化剤である。組成物は、（組成物の）布地柔軟化剤を０．１重量％〜２０重量％、好ましくは１重量％〜１０重量％含むことが好ましい。好ましい布地柔軟化剤は、粘土及び／又は第四級アンモニウム化合物である。典型的には、粘土は、アロファン粘土、イライト粘土、カオリン粘土（好ましいカオリン粘土はカオリナイト粘土である）、スメクタイト粘土、及びこれらの混合物からなる群から選択される。粘土は、スメクタイト粘土が好ましい。好ましいスメクタイト粘土は、バイデライト粘土、ヘクトライト粘土、ラポナイト粘土、モンモリロナイト粘土、ノントナイト（nontnite）粘土、サポナイト粘土、及びこれらの混合物である。好ましくは、スメクタイト粘土は、２八面体型スメクタイト粘土であってもよい。好ましい２八面体型スメクタイト粘土は、モンモリロナイト粘土である。モンモリロナイト粘土は、低電荷モンモリロナイト粘土（モンモリロナイトナトリウム粘土又はワイオミング型モンモリロナイト粘度としても知られている）であっても、高電荷モンモリロナイト粘土（モンモリロナイトカルシウム粘土又はチェト型モンモリロナイト粘土としても知られている）であってもよい。スメクタイト粘土は、３八面体型スメクタイト粘土であってもよい。好ましい３八面体型スメクタイト粘土は、ヘクトライト粘土である。特に好ましいヘクトライト粘土は、Ｒｈｅｏｘから「ヘクトライトＵ（Hectorite U）」及び「ヘクトライトＲ（Hectorite R）」という商品名で市販されている粘度である。粘土は、好ましくは波長４６０ｎｍで６０以上、好ましくは８０以上の反射率を有する淡色結晶性粘土鉱物であってもよい。典型的には、淡色結晶性粘度鉱物の平均粒子サイズは２μｍ以下であり、特に好ましくは１μｍ以下である。淡色結晶性粘度鉱物の平均粒子サイズは、典型的には、０．１ｇ／ｌの淡色結晶性粘度の脱イオン水溶液を１分間激しく撹拌して粘度を分散させた分散液を使用し、マルベルン・ゼータサイザー（Malvern Zetasizer）（商標）を用いて測定する。好ましい淡色結晶性粘土鉱物は、英国特許第２，３５７，５２３Ａ号及び国際公開第０１／４４４２５号に記載されている。
【００４８】
１つの好ましい補助成分は、凝集剤である。組成物は、１つ以上の凝集剤を（組成物の）０．０１重量％〜２５重量％、好ましくは０．５重量％以内、好ましくは２０重量％以内、又は１５重量％以内、又は１０重量％以内、又は５重量％以内の割合で含むことが好ましい。好ましい凝集剤は、典型的には、１００ｋＤａ以上、好ましくは２００ｋＤａ以上の重量平均分子量を有するポリマー成分である。好ましい凝集剤は、エチレンオキシド、アクリルアミド、アクリル酸、ジメチルアミノエチルメタクリレート、ビニルアルコール、ビニルピロリドン、エチレンイミン、及びこれらの組み合わせからなる群から選択される単量体単位に由来するポリマー成分である。別の好ましい凝集剤は、ゴム類、特にグアーガムである。非常に好ましい凝集剤は、好ましくは１００ｋＤａ以上、更に好ましくは２００ｋＤａ以上の重量平均分子量を有するポリエチレンオキシドである。好ましい凝集剤は、国際公開第９５／２７０３６号に記載されている。
【００４９】
１つの好ましい補助成分は、塩である。組成物は、１つ以上の塩を含むことが好ましい。塩は、アルカリ剤、緩衝液、ビルダー、補助ビルダー、エンクラステーション阻害物質、充填剤、ｐＨ調整剤、安定剤、及びこれらの組み合わせとして機能することができる。典型的には、組成物は、（組成物の）塩を５重量％〜６０重量％含む。好ましい塩は、アルミン酸塩、炭酸塩、塩化物、重炭酸塩、硝酸塩、リン酸塩、ケイ酸塩、硫酸塩、及びこれらの組み合わせのアルカリ金属塩である。別の好ましい塩は、アルミン酸塩、炭酸塩、塩化物、重炭酸塩、硝酸塩、リン酸塩、ケイ酸塩、硫酸塩、及びこれらの組み合わせのアルカリ土類金属塩である。特に好ましい塩は、硫酸ナトリウム、炭酸ナトリウム、重炭酸ナトリウム、ケイ酸ナトリウム、硫酸ナトリウム、及びこれらの組み合わせである。任意選択的に、アルカリ金属塩及び／又はアルカリ土類金属塩は無水であってもよい。
【００５０】
１つの好ましい補助成分は、汚れ剥離剤である。組成物は、１つ以上の汚れ剥離剤を含むことが好ましい。典型的には、汚れ剥離剤は、布地表面を変性させて布地に汚れが再付着するのを防ぐポリマー化合物である。好ましい汚れ剥離剤は、１つ以上のテレフタレート単位を有するコポリマー、好ましくはブロックコポリマーである。好ましい汚れ剥離剤は、ジメチルテレフタレート、１，２−プロピルグリコール、及びメチル末端保護ポリエチレングリコールから合成されるコポリマーである。別の好ましい汚れ剥離剤は、陰イオンで末端保護されたポリエステルである。
【００５１】
１つの好ましい補助成分は、懸濁剤である。組成物は、１つ以上の懸濁剤を含むことが好ましい。好ましい懸濁剤は、ポリマー性ポリカルボキシレートである。特に好ましい懸濁剤は、アクリル酸由来ポリマー、マレイン酸由来ポリマー、並びにマレイン酸及びアクリル酸由来コポリマーである。ポリマー性ポリカルボキシレートは、懸濁特性に加えて、洗濯洗剤の有用な補助ビルダーでもある。別の好ましい懸濁剤は、アルコキシル化ポリアルキレンイミンである。特に好ましいアルコキシル化ポリアルキレンイミンは、エトキシ化ポリエチレンイミン又はエトキシ化−プロポキシル化ポリエチレンイミンである。別の好ましい懸濁剤は、次の式で表される。
ビス（（Ｃ２Ｈ５Ｏ）（Ｃ２Ｈ４Ｏ）ｎ（ＣＨ３）−Ｎ＋−ＣｘＨ２ｘ−Ｎ＋−（ＣＨ３）−ビス（（Ｃ２Ｈ４Ｏ）ｎ（Ｃ２Ｈ５Ｏ））
式中、ｎは１０〜５０であり、ｘは１〜２０である。任意選択的に、上記の式で表される懸濁剤を硫酸化及び／又はスルホン酸化させることができる。
【００５２】
（組成物）
布地処理組成物は、香料添加組成物又は洗濯洗剤組成物であることができる。組成物は、疑集粒子、成型粒子、粉砕粒子、フレーク、及びこれらの混合物を含むことができる。典型的には、組成物は錠剤の形態ではない。ただし、組成物が錠剤の形態である場合、組成物は（ａ）第一の香料成分を含む錠剤の形態の組成物を得る工程、及び（ｂ）工程（ａ）に続いて、第二の香料成分を工程（ａ）で得られた組成物に接触させる工程を含むプロセスにより得られるものであるのが好ましい。
【００５３】
典型的には、香料添加組成物は、洗濯洗剤組成物もまた使用される洗濯プロセスでの使用に好適である。香料添加組成物は、予洗段階、洗浄段階、及び／又はすすぎ段階で布地に添加することができる。布地処理組成物は、固体粒子状洗濯洗剤組成物であることが好ましい。組成物は洗濯プロセスに使用するのに好適であり、典型的には、水性環境で布地に接触すると、優れた香りと布地処理力を発揮する。
【００５４】
濡れた布地から良好な香りが放出されると同時に、乾燥した布地から長期間に渡って良好な香りが放出されるように、第一の香料成分と第二の香料成分とは、組成物中で分離されていることが好ましい。従って、組成物は、（粒子の）第一の香料成分を１重量％以上、好ましくは２重量％以上、更に好ましくは３重量％以上、及び第二の香料成分を１重量％未満、好ましくは０．５重量％未満、更に好ましくは０．１重量％未満含む粒子を有する。
【００５５】
（組成物の製造プロセス）
組成物は、典型的には、（ａ）第一の香料成分を含む複数の粒子を得る工程、（ｂ）工程（ａ）で得られた粒子に補助成分を含む複数の粒子を混合して、粒子混合物を得る工程、及び（ｃ）第二の香料成分を工程（ｂ）で得られた粒子混合物に接触させて、固体粒子状組成物を得る工程を含むプロセスにより得られるものであり、好ましくはこの方法により得られる。典型的には、工程（ｃ）における第二の香料成分は液体の形態であり、工程（ｃ）において、第二の香料成分を工程（ｂ）で得られた粒子混合物にスプレーで吹きかけるのが好ましい。典型的には、第一の香料成分は粒子の形態、典型的には粒塊の形態であり、別の粒子、つまり典型的には、補助成分を含むスプレー乾燥粒子及び／又は粒塊と混合される。組成物が洗濯洗剤組成物である場合、上記の工程（ｂ）で得られる粒子混合物は、典型的には、洗剤の基材粉末である。
【実施例】
【００５６】
（実施例Ｉ）：ルパソル（Lupasol）とダマスコーン、及びルパソルと２，４−ジメチル−３−シクロヘキセン−１−カルボキシアルデヒドとの合成
ルパソル（Lupasol）Ｇ１００を次の手順で乾燥させる：ルパソル（Lupasol）溶液２０ｇを回転蒸発装置で数時間乾燥させる。得られた物質を、トルエンを使用して回転蒸発装置で共沸蒸留する。次にこの物質を乾燥器に入れ、水分吸収剤としてＰ２Ｏ５を使用して６０°Ｃで乾燥させる。
【００５７】
乾燥したルパソル（Lupasol）物質１．３８ｇをエタノール７ｍｌに溶解し、この溶液を数分間穏やかに撹拌して、無水ＮａＳＯ４２ｇを加える。この溶液を更に撹拌し、α−ダマスコーン２．２１ｇを１分間かけて添加する。この反応を２日間継続させる。２日後、反応混合物をセライトフィルターでろ過し、残基をエタノールで十分に洗浄する。約１８０ｇのろ液を得る。このろ液を回転蒸発装置で濃縮し、Ｐ２Ｏ５を使用した乾燥器内で室温乾燥させる。ルパソル（Lupasol）Ｇ１００の代わりにルパソルＧ３５又はルパソルＨＦを使用して、同様の物質を得る。また、α−ダマスコーンの代わりに２，４−ジメチル−３−シクロヘキセン−１−カルボキシアルデヒドを使用して、同様の物質を得る。
【００５８】
（実施例ＩＩ）：香料前駆粒子
次の手順で香料前駆粒子を得る：実施例Ｉで得た物質２０ｇとＴＡＥ８０の８０ｇを、これらの混合物のほぼ融点である７０°Ｃで５分間混合する。次に撹拌機に炭酸塩２００ｇを入れ、混合物を加えて、６５°Ｃ未満の温度で５分間混合して、香料前駆粒子を得る。
【００５９】
（実施例ＩＩＩ）：液体香料
以下の組成物は液体香料組成物である。以下に記載する成分量は液体香料組成物の重量％で示され、沸点は°Ｃで示される。
【表１】
2005511823.tif 000002
【表２】
2005511823.tif 000003
【００６０】
（実施例ＩＶ）：洗剤組成物
実施例ＩＩの香料前駆粒子０．６ｇを、以下に記載される洗剤基材粉末Ａ〜Ｇ１００ｇにそれぞれ乾燥状態で添加する。次に実施例ＩＩＩのいずれかの液体香料組成物０．６ｇを、基材粉末（既に実施例ＩＩの香料粒子と混合されている）にスプレーで吹きかけて、固体粒子状洗剤組成物を生成する。
【表３】
2005511823.tif 000004
【国際調査報告】
2005511823.tif 000005
2005511823.tif 000006